(57)【特許請求の範囲】
【請求項１】
第１、第２インペラ側板５，５Ａと複数のインペラブレード6とによって構成されかつ回転軸の先端に取り付けられたインペラＲを包囲するインペラカバー２０を、複数に分割されたライナによって保護するようにした遠心投射機において、
前記ライナは；
台形の板状を成し、前記インペラカバー２０の前記回転軸側の内面に着脱可能にしてネジ止め締結され、前記第１、第２インペラ側板５，５Ａが通過可能な貫通穴を有する第１側面ライナ３１と；
台形の板状を成し、前記インペラカバー２０における前記回転軸の反対側の内面に着脱可能にしてネジ止め締結され、前記第１、第２インペラ側板５，５Ａが通過可能な貫通穴を有する第２側面ライナ３１Ａと；
これら第１、第２側面ライナ３１，３１Ａの前端部の間に着脱可能に装架され、かつ断面Ｕ字形の傾斜樋状を成す前側面ライナ３４と；
前記第１、第２側面ライナ３１，３１Ａの後端部の間に着脱可能に装架され、かつ断面Ｕ字形の傾斜樋状を成す後側面ライナ３４Ａと；
無端の帯状を成し、前記第１、第２側面ライナ３１，３１Ａおよび前記前、後側面ライナ３４，３４Ａの上端部分に着脱可能に環装された組付枠ライナ３７と、
下面に突設された環状突起３８が前記組付枠ライナ３７の上端部分に着脱可能に挿入されて、前記第１、第２側面ライナ３１，３１Ａおよび前記前、後側面ライナ３４，３４Ａの上端部が形成する開口を閉鎖可能な天井側面ライナ３９と；
を含むことを特徴とする遠心投射機。
【発明の詳細な説明】
【０００１】
【発明の属する技術分野】
本発明は、ショットブラスト装置における遠心投射機に関し、特にインペラを包囲して配置されるインペラカバーの摩耗を保護する機構に関する。
【０００２】
【従来の技術】
従来ショットブラスト装置における遠心投射機のインペラ部分を包囲して配置されるインペラカバーの摩耗を保護するライナは、インペラの回転前後側面部分及び左右側面部分並びに天井側面部分に分割されると共にこの分割部分がさらに適当な大きさに細分割されてインペラカバー内面に取付けられるようになっている。
しかしこのようなライナは部品点数が多いという問題があり、実用新案登録第２５０６５４９号公報に示されるようなインペラの回転前後側面部分のライナを断面Ｕ字樋形状にして部品点数を少なくする工夫が成されている。
【０００３】
【発明が解決しようとする課題】
上記のような各ライナは、その一部が摩耗した際には新しいものと取り換える必要があるが、その取換をする場合には、各ライナとインペラカバーとのネジ止め締結を順次取り外しながら分解をして交換をしてゆかなければならず非常に厄介な作業となっている。
本発明は上記の問題に鑑みて成されたもので、磨耗したライナの交換作業が容易になる遠心投射機を提供することを目的とする。
【０００４】
【課題を解決するための手段】
上記の目的を達成するために本発明における遠心投射機は、第１、第２インペラ側板と複数のインペラブレードとによって構成されかつ回転軸の先端に取り付けられたインペラを包囲するインペラカバーを、複数に分割されたライナによって保護するようにした遠心投射機において、前記ライナは；台形の板状を成し、前記インペラカバーの前記回転軸側の内面に着脱可能にしてネジ止め締結され、前記第１、第２インペラ側板が通過可能な貫通穴を有する第１側面ライナと；台形の板状を成し、前記インペラカバーにおける前記回転軸の反対側の内面に着脱可能にしてネジ止め締結され、前記第１、第２インペラ側板が通過可能な貫通穴を有する第２側面ライナと；これら第１、第２側面ライナの前端部の間に着脱可能に装架され、かつ断面Ｕ字形の傾斜樋状を成す前側面ライナと；前記第１、第２側面ライナの後端部の間に着脱可能に装架され、かつ断面Ｕ字形の傾斜樋状を成す後側面ライナと；無端の帯状を成し、前記第１、第２側面ライナおよび前記前、後側面ライナの上端部分に着脱可能に環装された組付枠ライナと；下面に突設された環状突起が前記組付枠ライナの上端部分に着脱可能に挿入されて前記第１、第２側面ライナおよび前記前、後側面ライナの上端部が形成する開口を閉鎖可能な天井側面ライナと；を含むことを特徴とする。
【０００６】
【発明の実施の形態】
以下本発明の実施の形態を図面に基づいて詳しく説明する。図1において遠心投射機は、キャビネットの天井板１の一部に開口が穿ってあると共に該天井板１上にはコモンベース２がその開口を前記開口に合致させて設置されている。
前記コモンベース２の上部には、軸受３が固着されていて該軸受３に軸受けされた回転軸の先端にはハブ４を介してインペラＲが前記開口に対応して取付けられている。
【０００７】
次に前記インペラＲの構成を図1により説明する。前記ハブ４前面に取付けられた第1インペラ側板５と図示されないステーボルトを介して連結された第2インペラ側板５Ａが間隔をおいて設けられており、第１、２インペラ側板５、５Ａ間には多数のインペラブレード６、６が放射状に嵌合セットされている。
またインペラブレード６、６の基端内側にはディストリビュータ７が前記第1インペラ側板５に固定されていると共にディストリビュータ７の外周にはコントロールケージ８が後述する第2側面カバー２１Ａの貫通穴に嵌合固定されており、該コントロールケージ８には投射材の導入筒１０が締付具１１を介して後述するインペラカバー２０に固定されている。
【０００８】
次にインペラカバー２０についてその構成を図1、２、３により説明する。該インペラカバー２０は、全体形状が台形錐体状に形成された底部開放の箱状にされていて、その底部を前記コモンベース２の開口に合致させて前記インペラＲを覆うようにして立設されている。
該インペラカバー２０の前後面は板状の前後面カバー２０Ａ、２０Ａとされ、右側面には前記軸受３の先端外周に嵌合する貫通孔を穿った第1側面カバー２１を取付け、左側面には前記コントロールケージ８の外周に嵌合する貫通孔を穿った第2側面カバー２１Ａを取付けており、該インペラカバー２０の天井部は、取り外し可能な天井蓋２２にされていて、インペラカバー２０の前後上部位置に取付けられた回動クランプ式ネジ２３、２３を介して着脱できるようにされている。
【０００９】
次に各側面ライナの構造と組合せについて図4を加えて説明する。図1において前記第1側面カバー２１の内面には、全体形状を台形状にすると共に中央部に前記第1、２インペラ側板５、５Ａを通過可能にした貫通穴を有する第1側面ライナ３１が上下4個所をネジ３２、３２とナットによりネジ締結して取付けられ（図2参照）、前記第2側面カバー２１Ａの内面には全体形状を台形状にすると共に中央部に前記第2インペラ側板５Ａを通過可能にした貫通穴を有する第2側面ライナ３１Ａが馬蹄形状のスペーサ３３を介して間隔調整されて上下４個所をネジ３２Ａ、３２Ａとナットによりネジ締結して取付けられている（図3参照）。
【００１０】
さらに前記第１、２側面ライナ３１、３１Ａの前後端面（図2、３において左右端面）には、全体が断面Ｕ字形の傾斜樋状に形成された前後側面ライナ３４、３４Ａが前記インペラカバー２０の前後面カバー２０Ａ、２０Ａに取り外し可能にして設けられたブラケット３５、３５Ａを介して設けた押付けボルト３６、３６Ａを介して押圧固定されている。
なお上記押付けボルト３６、３６Ａに投射材が噛み込んだ場合にはブラケット３５、３５Ａの部分から取り外して交換あるいは補修をすることができるようになっている。
【００１１】
また前記第１、２側面ライナ３１、３１Ａと前後側面ライナ３４、３４Ａの上
端部には、周縁を立壁にした輪状にすると共に底部に前記第1、２側面ライナ３１、３１Ａ及び前後側面ライナ３４、３４Ａの上端部を貫通させる通し穴を穿った形状に形成された組付枠ライナ３７が嵌合セットされていて、該組付枠ライナ３７の上部にはその下面周縁に前記各側面ライナ３１、３１Ａ、３４、３４Ａ及び組付枠ライナ３７の立壁とにより画成する環状Ｕ字溝内に挿入される環状突起３８を備えた天井側面ライナ３９が載置されている。
また、前記天井側面ライナと前記第１、２側面ライナとの合わせ面に、投射材の投射方向に対して４点以上の屈曲点のあるラビリンス構造を設けている。
そして天井側面ライナ３９は、前記インペラカバー２０の上端部前後位置に設けたフック状体２４、２４により下方向に押圧固定されている。なお前記押圧固定は、フック状体２４、２４によるものだけでなく天井蓋２２にボルトを貫通させる方式の押付けボルトによって押圧固定してもよい。
【００１２】
このように構成された遠心投射機においてライナの一部が摩耗して交換をする作業の説明をする。まず摩耗が早く進む天井側面ライナ３９を交換する場合は、図２、３に示す回転クランプ式ネジ２３、２３をゆるめて回動転倒させ、天井蓋２２を取り除いた後フック状体２４、２４を天井側面ライナ３９の外方に回
転移動させて摩耗している天井側面ライナ３９を手作業でインペラカバー２０の開口から上方へ取出し、新しい天井側面ライナ３９と交換する。
【００１３】
また前後側面ライナ３４、３４Ａの交換作業は、上記天井側面ライナ３９の取出し作業までを同様にして行った後組付枠ライナ３７を手作業で上方に取出し、摩耗しているライナ側の押付けボルト３６、３６Ａをゆるめて、摩耗した側面ライナ３４、３４Ａを傾斜上方に向かって抜き上げるようにして除去し、新しい前後側面ライナ３４、３４Ａと交換する。
【００１４】
次に摩耗が遅い第1、２側面ライナ３１、３１Ａの交換作業は、上記前後側面ライナ３４、３４Ａの抜き上げ除去作業までを同様にして行った後、図1に示す締付具１１を取り外し、コントロールケージ８、ディストリビュータ７を導入筒１０側に抜き出し、さらにインペラブレード６、６をインペラ側板５、５Ａ間から中央の穴方向に押出してコントロールケージ８と同様に導入筒１０側に抜き出す。
【００１５】
次に第２側面カバー２１Ａ、馬蹄形のスペーサ３３及び第２側面ライナ３１Ａを共締めしているネジ３２Ａ、３２Ａをゆるめて抜き出した後馬蹄形のスペーサ３３を上方に抜き上げ、さらに第２側面ライナ３１Ａを導入筒１０の方向に若干移動させて第２インペラ側板５Ａを貫通穴に相対的に通過させ、上方に抜き上げインペラカバー２０の天井開口部から取出す。
次に第１側面カバー２１及び第１側面ライナ３１を締結しているネジ３２、３２をゆるめて抜き出した後第１側面ライナ３１の貫通穴を第１、２インペラ側板５、５Ａに相対的に通過させて前記第２側面ライナ３１Ａと同様に上方に抜き上げインペラカバー２０の天井開口部から取出し、新しい第１、２側面ライナ３１、３１Ａと交換する。
【００１６】
なお図１〜図３に示すように天井側面ライナ３９と各側面ライナ３１、３１Ａ、３４、３４Ａの上端との接合は、組付枠ライナ３７を介して画成する環状Ｕ字溝内に天井側面ライナ３９の環状突起３８を挿入して、天井側面ライナ３９の上方から押付け固定手段（フック状体２４、２４）を介して押圧固定させ、更に、前記天井側面ライナ３９と前記第１、２側面ライナ３１，３１Ａとの合わせ面に、投射材の投射方向に対して４点以上の屈曲点のあるラビリンス構造を設けるものであるため、投射材はその飛び出しを確実に防止される。
また第１、２側面ライナ３１、３１Ａと前後側面ライナ３４、３４Ａとの接合は、固定されている第１、２側面ライナ３１、３１Ａに対し、前後側面ライナ３４、３４Ａを押付けボルト３６、３６Ａを介して押圧固定させるものであるため投射材はこの部分からの飛び出しも確実に防止されるようになり、インペラカバー２０の摩耗を確実に防止できる。
【００１７】
【発明の効果】
上記の説明から明らかなように、本発明は、第１、第２インペラ側板と複数のインペラブレードとによって構成されかつ回転軸の先端に取り付けられたインペラを包囲するインペラカバーを、複数に分割されたライナによって保護するようにした遠心投射機において、前記ライナは；台形の板状を成し、前記インペラカバーの前記回転軸側の内面に着脱可能にしてネジ止め締結され、前記第１、第２インペラ側板が通過可能な貫通穴を有する第１側面ライナと；台形の板状を成し、前記インペラカバーにおける前記回転軸の反対側の内面に着脱可能にしてネジ止め締結され、前記第１、第２インペラ側板が通過可能な貫通穴を有する第２側面ライナと；これら第１、第２側面ライナの前端部の間に着脱可能に装架され、かつ断面Ｕ字形の傾斜樋状を成す前側面ライナと；前記第１、第２側面ライナの後端部の間に着脱可能に装架され、かつ断面Ｕ字形の傾斜樋状を成す後側面ライナと；無端の帯状を成し、前記第１、第２側面ライナおよび前記前、後側面ライナの上端部分に着脱可能に環装された組付枠ライナと；下面に突設された環状突起が前記組付枠ライナの上端部分に着脱可能に挿入されて前記第１、第２側面ライナおよび前記前、後側面ライナの上端部が形成する開口を閉鎖可能な天井側面ライナと；を含むから、インペラカバーを保護する各ライナは、その交換作業が極めて容易になる効果がある。
【図面の簡単な説明】
【図１】本発明の実施の形態を示す遠心投射機の縦断正面図である。
【図２】図１におけるＢ−Ｂ矢視図である。
【図３】図１におけるＡ−Ａ矢視図である。
【図４】全ライナの分解状態を示す矢視図である。
【符号の説明】
１０  導入筒
２０  インペラカバー
２０Ａ  前後面カバー
２１  第１側面カバー
２１Ａ  第２側面カバー
２２  天井蓋
２３  回動クランプ式ネジ
２４  フック状体
３１  第１側面ライナ
３１Ａ  第２側面ライナ
３２  ３２Ａ  ネジ
３３  スペーサ
３４  前側面ライナ
３４Ａ  後側面ライナ
３５  ３５Ａ  ブラケット
３６  押付けボルト
３７  組付枠ライナ
３８  環状突起
３９  天井側面ライナ
Ｒ  インペラ
【図１】
0004085353.tif 000002
【図２】
0004085353.tif 000003
【図３】
0004085353.tif 000004
【図４】
0004085353.tif 000005